(57)【要約】      （修正有）【課題】 微小の装飾パターンであっても強固に被着体に接着することで衝撃による画像の脱落がなく、またエッジの鋭い画像であっても、磨耗および接触による負傷を防止でき、かつ装飾パターンが本来有する金属光沢を有効に利用できる装飾プレートを提供すること。【解決手段】 本発明に係る装飾プレート１０は、凹部を有する被着体１と、該凹部と略同形状の装飾パターン３とからなり、装飾パターン３が該凹部内にホットメルト接着剤と紫外線硬化型接着剤との混合接着剤層、ホットメルト接着剤層または粘着剤層を介して固定されていることを特徴としている。【選択図】 図１
2006281652.tif 000002
【特許請求の範囲】
【請求項１】
凹部を有する被着体と、該凹部と略同形状の装飾パターンとからなり、装飾パターンが該凹部内にホットメルト接着剤と紫外線硬化型接着剤との混合接着剤からなる装飾パターン用固着層を介して固定されていることを特徴とする装飾プレート。
【請求項２】
凹部を有する被着体と、該凹部と略同形状の装飾パターンとからなり、装飾パターンが該凹部内にホットメルト接着剤からなる装飾パターン用固着層を介して固定されていることを特徴とする装飾プレート。
【請求項３】
凹部を有する被着体と、該凹部と略同形状の装飾パターンとからなり、装飾パターンが該凹部内に粘着剤からなる装飾パターン用固着層を介して固定されていることを特徴とする装飾プレート。
【請求項４】
装飾パターン表面および側面に、樹脂コート層が設けられていることを特徴とする請求項１〜３のいずれかに記載の装飾プレート。
【請求項５】
装飾パターンと、装飾パターン用固着層との合計厚みが前記凹部の深さに対して、−２００μｍ〜＋５０μｍの範囲にあることを特徴とする請求項１〜４のいずれかに記載の装飾プレート。
【請求項６】
装飾パターンが、電着画像であることを特徴とする請求項１〜５のいずれかに記載の装飾プレート。
【請求項７】
装飾パターンが、エッチング画像であることを特徴とする請求項１〜５のいずれかに記載の装飾プレート。
【請求項８】
支持部材上に、装飾パターンを整列仮着するように形成し、接着剤層を有するアプリケーションテープに該装飾パターンを転写し、
装飾パターンが接着されている面にさらに、
（ｉ）ホットメルト接着剤と紫外線硬化型接着剤との混合接着剤、
（ｉｉ）ホットメルト接着剤、および、
（ｉｉｉ）粘着剤
からなる群から選択される装飾パターン用固着層を形成し、
装飾パターンを略同形状の凹部を有する被着体の該凹部に、装飾パターン用固着層を介して装飾パターンを嵌合し、
装飾パターンからアプリケーションテープを剥離することを特徴とする装飾プレートの製造方法。
【請求項９】
アプリケーションテープの接着剤層が紫外線硬化型接着剤を含み、アプリケーションテープに該装飾パターンを転写した後、接着剤層に紫外線を照射して接着力を低下させる工程をさらに含む請求項８に記載の装飾プレートの製造方法。
【請求項１０】
装飾パターン用固着層が紫外線硬化型接着剤およびホットメルト接着剤を含み、被着体凹部に装飾パターンを嵌合した後、アプリケーションテープ側から紫外線を照射し、かつアプリケーションテープ側から加熱または加熱および加圧を施す工程をさらに含む請求項８または９に記載の装飾プレートの製造方法。
【請求項１１】
装飾パターン用固着層がホットメルト接着剤を含み、被着体凹部に装飾パターンを嵌合した後、アプリケーションテープ側から加熱または加熱および加圧を施す工程をさらに含
む請求項８または９に記載の装飾プレートの製造方法。
【請求項１２】
支持部材上に、装飾パターンを整列仮着された状態で、装飾パターン表面に剥離処理を施す工程をさらに含む請求項８〜１１の何れかに記載の装飾プレートの製造方法。
【請求項１３】
支持部材上に、装飾パターンを整列仮着された状態で、装飾パターン表面および側面を樹脂コートする工程をさらに含む請求項８〜１１の何れかに記載の装飾プレートの製造方法。
【請求項１４】
支持部材上に、装飾パターンを整列仮着された状態で、装飾パターン表面および側面を樹脂コートし、かつ樹脂コート表面に剥離処理を施す工程をさらに含む請求項８〜１１の何れかに記載の装飾プレートの製造方法。
【発明の詳細な説明】
【技術分野】
【０００１】
本発明は、装飾プレート及びその製造方法に関し、さらに詳しくは、微小の装飾パターンであっても強固に被着体に接着することで衝撃による画像の脱落がなく、またエッジの鋭いパターンであっても、磨耗および接触による負傷を防止できる装飾プレートおよびその製造方法に関する。
【背景技術】
【０００２】
時計用のバラ文字や装飾部品等の微細で複雑な形状を有する物品にあっては、金属板の表面にこれらの画像形成部以外の部分にレジスト膜を形成することによって、金属板の表面にこれらの画像の形状に沿った導電部を形成し、この導電部の上に電着法により金属を析出させて時字などの装飾パターンとしての電着画像を形成し、この装飾パターンを接着剤層を介して一旦フィルム等の支持基材に転写して保持した後、装飾パターンの露出面に固着用接着剤層を形成し、この装飾パターンを支持基材から剥離しつつ、固着用接着剤層を介して時計用表示板等の被着体に貼着することが広く行われている。たとえば、特許文献１および２等には、上記の電着画像法ならびにその改良が種々開示されている。
【０００３】
このような装飾パターンは、また製造社名、商品名を表示するための表示部材（装飾プレート）として用いられる。ところが、アルファベットにおける「ｉ」、「ｊ」などの点は極めて小さく、固着用接着剤層を介して被着体に貼着しても、接着力が不充分であるため、脱落してしまうことがあった。
【０００４】
また、電着画像法によれば、アルファベットの「Ｖ」、「Ｗ」では、鋭角部分に鋭いエッジが形成される。この鋭角部は磨耗しやすく、衣服の繊維に引っ掛かったり、あるいは負傷の原因となることもある。
【０００５】
このような問題を解決するため、本願出願人は、特許文献３において、電着画像を熱溶融性樹脂層内に封止してなる装飾プレートを提案している。この装飾プレートによれば、電着画像が樹脂内に封止されているので、微小の電着画像であっても画像の脱落がなく、またエッジの鋭い画像であっても磨耗および接触による負傷を防止できる。しかし、電着画像表面は樹脂で覆われているため、電着画像が本来有する金属光沢が失われてしまう。
【０００６】
微小の装飾パターンにおける画像の脱落および、エッジの鋭いパターンにおける磨耗および接触による負傷を防止するために、かつ装飾パターンが本来有する金属光沢を有効に利用するために、本願出願人は、特許文献４において、凹部を有する被着体と、該凹部と略同形状の装飾パターンとからなり、装飾パターンが該凹部内に紫外線硬化型接着剤層を介して固定されている装飾プレートを提案している。
【０００７】
この装飾プレートは以下のように製造される。支持部材上に、装飾パターンを整列仮着するように形成し、第１の紫外線硬化型接着剤層を有するアプリケーションテープに該装飾パターンを転写し、該紫外線硬化型接着剤層に紫外線を照射して接着力を低下させ、装飾パターンが接着されている面にさらに、第２の紫外線硬化型接着剤層を形成し、装飾パターンを略同形状の凹部を有する被着体の該凹部に、第２の紫外線硬化型接着剤層を介して装飾パターンを嵌合し、アプリケーションテープ側から紫外線を照射し、装飾パターンからアプリケーションテープを剥離する。
【０００８】
しかしながら、上記のような第２の紫外線硬化型接着剤層を介して装飾パターンを固定する際、特に適正条件で紫外線が照射されない場合には、接着剤が硬化せず、本来の接着
力が得られない。これにより、装飾パターンの接着力が不十分となり、落下の衝撃により脱落してしまうことがあった。
【特許文献１】特開平７−３３１４７９号公報
【特許文献２】特開平８−２７５９７号公報
【特許文献３】特開２００２−２０５４９６号公報
【特許文献４】特開２００３−１２４２０号公報
【発明の開示】
【発明が解決しようとする課題】
【０００９】
本発明は、装飾パターンを固定するための第２の紫外線硬化型接着剤層の代わりに、ホットメルト接着剤と紫外線硬化型接着剤との混合接着剤層、ホットメルト接着剤層または粘着剤層を介して固定することによって、衝撃による画像の脱落を防止できる装飾プレートおよびその製造方法を提供することを目的としている。
【課題を解決するための手段】
【００１０】
このような課題の解決を目的とする本発明は、以下の事項を要旨としている。
（１）凹部を有する被着体と、該凹部と略同形状の装飾パターンとからなり、装飾パターンが該凹部内にホットメルト接着剤と紫外線硬化型接着剤との混合接着剤からなる装飾パターン用固着層を介して固定されていることを特徴とする装飾プレート。
（２）凹部を有する被着体と、該凹部と略同形状の装飾パターンとからなり、装飾パターンが該凹部内にホットメルト接着剤からなる装飾パターン用固着層を介して固定されていることを特徴とする装飾プレート。
（３）凹部を有する被着体と、該凹部と略同形状の装飾パターンとからなり、装飾パターンが該凹部内に粘着剤からなる装飾パターン用固着層を介して固定されていることを特徴とする装飾プレート。
（４）装飾パターン表面および側面に、樹脂コート層が設けられていることを特徴とする（１）〜（３）のいずれかに記載の装飾プレート。
（５）装飾パターンと、装飾パターン用固着層との合計厚みが前記凹部の深さに対して、−２００μｍ〜＋５０μｍの範囲にあることを特徴とする（１）〜（４）のいずれかに記載の装飾プレート。
（６）装飾パターンが、電着画像であることを特徴とする（１）〜（５）のいずれかに記載の装飾プレート。
（７）装飾パターンが、エッチング画像であることを特徴とする（１）〜（５）のいずれかに記載の装飾プレート。
（８）支持部材上に、装飾パターンを整列仮着するように形成し、接着剤層を有するアプリケーションテープに該装飾パターンを転写し、
装飾パターンが接着されている面にさらに、
（ｉ）ホットメルト接着剤と紫外線硬化型接着剤との混合接着剤、
（ｉｉ）ホットメルト接着剤、および、
（ｉｉｉ）粘着剤
からなる群から選択される装飾パターン用固着層を形成し、
装飾パターンを略同形状の凹部を有する被着体の該凹部に、装飾パターン用固着層を介して装飾パターンを嵌合し、
装飾パターンからアプリケーションテープを剥離することを特徴とする装飾プレートの製造方法。
（９）アプリケーションテープの接着剤層が紫外線硬化型接着剤を含み、アプリケーションテープに該装飾パターンを転写した後、接着剤層に紫外線を照射して接着力を低下させる工程をさらに含む（８）に記載の装飾プレートの製造方法。
（１０）装飾パターン用固着層が紫外線硬化型接着剤およびホットメルト接着剤を含み、被着体凹部に装飾パターンを嵌合した後、アプリケーションテープ側から紫外線を照射し
、かつアプリケーションテープ側から加熱または加熱および加圧を施す工程をさらに含む（８）または（９）に記載の装飾プレートの製造方法。
（１１）装飾パターン用固着層がホットメルト接着剤を含み、被着体凹部に装飾パターンを嵌合した後、アプリケーションテープ側から加熱または加熱および加圧を施す工程をさらに含む（８）または（９）に記載の装飾プレートの製造方法。
（１２）支持部材上に、装飾パターンを整列仮着された状態で、装飾パターン表面に剥離処理を施す工程をさらに含む（８）〜（１１）の何れかに記載の装飾プレートの製造方法。
（１３）支持部材上に、装飾パターンを整列仮着された状態で、装飾パターン表面および側面を樹脂コートする工程をさらに含む（８）〜（１１）の何れかに記載の装飾プレートの製造方法。
（１４）支持部材上に、装飾パターンを整列仮着された状態で、装飾パターン表面および側面を樹脂コートし、かつ樹脂コート表面に剥離処理を施す工程をさらに含む（８）〜（１１）の何れかに記載の装飾プレートの製造方法。
【発明の効果】
【００１１】
本発明によれば、微小の装飾パターンであっても衝撃による画像の脱落がない強固に接着した装飾プレートが提供される。また、エッジの鋭い画像であっても磨耗および接触による負傷を防止でき、かつ装飾パターンが本来有する金属光沢を有効に利用できる装飾プレートおよびその製造方法が提供される。さらに、本発明によれば、装飾パターンを固定するための接着剤が、装飾パターンからはみ出したり、被着体上に残留することもなく、外観に優れた装飾プレートが提供される。
【発明を実施するための最良の形態】
【００１２】
以下、本発明に係る装飾プレートおよびその製造方法について、図面を参照しながら、さらに具体的に説明する。
図１に示すように、装飾プレート１０は、凹部２を有する被着体１と、該凹部２と略同形状の装飾パターン３とからなり、装飾パターン３が該凹部内に後述する特定の固着層４を介して固定されている。
【００１３】
被着体１は、金属や各種の合成樹脂からなり、その材質は特に限定はされない。また被着体１の厚みも特に限定はされず、装飾プレート１０の用途によりさまざまであり、また後記装飾パターン３と固着層４との合計厚みにより適宜に選択されるものであるが、一般的には５００〜５０００μｍ程度である。
【００１４】
被着体１の表面には、後述する装飾パターン３が収容される凹部２が形成されている。凹部２の形成方法は、被着体１の材質によりさまざまであり、材質に応じた方法が適宜に選択される。たとえば、プレス成形やエッチング法であってもよく、また合成樹脂の場合には、金型を用いた成形であってもよい。凹部２の輪郭形状は、装飾パターン３と略同一である。すなわち、凹部２の幅、長さは、装飾パターン３と同一またはこれよりもやや大きめに設定される。凹部をやや大きめに設定する場合は、装飾パターン３と相似形であり、かつ装飾パターンの幅、長さに対して１００〜３００μｍ程度大き目に設定する。凹部２の深さは、後述するように、装飾パターン３と固着層４の厚みを勘案して適宜に設定される。
【００１５】
装飾パターン３は、たとえば特開平７−３３１４７９号公報、特開平８−２７５９７号公報等に記載の公知の電着画像法により製造される電着画像であってもよく、また、エッチング法、プレス法、レーザー光線カット法により製造される微小パターンであってもよい。これらの中でも、本発明では、特に電着画像あるいはエッチング法により得られる微小パターン（以下、エッチング画像とよぶことがある）が好ましい。本発明では、上記装
飾パターン３としては、多くの場合、製造社名、商品名、商標等の文字・図形パターンを有する装飾パターンが用いられるが、これらに限定されず、各種の装飾パターンであってもよい。
【００１６】
また、装飾パターン３の厚みは、好ましくは５０〜２００μｍ、さらに好ましくは３０〜１５０μｍ、特に好ましくは３０〜１００μｍである。装飾パターン３の表面には、模様が付されていてもよく、また着色、仕上メッキが施されていても良い。
【００１７】
装飾パターン３は、被着体１の凹部内に固着層４を介して固定されている。固着層４は、（ｉ）ホットメルト接着剤と紫外線硬化型接着剤との混合接着剤、（ｉｉ）ホットメルト接着剤および（ｉｉｉ）粘着剤からなる群から選択される。
【００１８】
紫外線硬化型の感圧接着剤の代表例としては、何ら限定されるものではないが、不飽和結合を２以上有する付加重合性化合物やエポキシ基を有するアルコキシシランの如き光重合性化合物と、カルボニル化合物や有機硫黄化合物、過酸化物、アミン、オニウム塩系化合物の如き光重合開始剤を配合したゴム系感圧接着剤や、アクリル系感圧接着剤等が挙げられる（特開昭６０−１９６９５６号公報参照）。光重合性化合物、光重合開始剤の配合量は、それぞれベースポリマー１００重量部当り１０〜５００重量部、０．１〜２０重量部が一般的である。
【００１９】
ホットメルト接着剤は、溶融状態で被着体に密着し、冷却すると固化して接着する性質を有するものであり、各種のホットメルト接着剤が知られている。好ましくはポリエステル系のホットメルト接着剤が用いられ、通常はポリエステルと、芳香族炭化水素、シクロヘキサノン、シリカ等との混合接着剤として市販されている。本発明では特に、ＪＥＬＣＯＮ  ＡＤ−ＨＭ１（十条ケミカル（株）製）、ＪＥＬＣＯＮ  ＡＤ−ＨＭ６（十条ケミカル（株）製）などが好ましく用いられ、必要に応じ遅乾剤、希釈剤等を併用してもよい。遅乾剤、希釈剤を用いる場合、その配合割合は、主剤であるポリエステル１００重量部に対し、遅乾剤、希釈剤の合計を２０重量部程度とすることが好ましい。
【００２０】
固着層４にホットメルト接着剤と紫外線硬化型接着剤との混合接着剤（ｉ）を用いる場合、ホットメルト接着剤と紫外線硬化型接着剤との配合割合（ホットメルト接着剤／紫外線硬化型接着剤〔固形分重量比〕）は、好ましくは１．５／１〜０．５／１、さらに好ましくは１．２／１〜０．８／１、特に好ましくは好ましくは１．１／１〜０．９／１である。
【００２１】
固着層は、混合接着剤（ｉ）から形成されていてもよく、またホットメルト接着剤（ｉｉ）から形成されていてもよい。さらに、混合接着剤（ｉ）およびホットメルト接着剤（ｉｉ）には、通常の接着剤に配合される充填剤、硬化助剤、粘着付与剤などの各種成分が任意の割合で配合されていてもよい。
【００２２】
固着層４は、粘着剤（ｉｉｉ）から形成されていてもよい。本発明では特に、アクリル系粘着剤が好ましく、必要に応じエポキシ樹脂等の硬化剤、セロソルブアセテート等の希釈剤が配合されていてもよい。この場合、主剤であるアクリル系粘着剤１００重量部に対し、硬化剤は５〜３０重量部程度、希釈剤は５〜３０重量部程度の割合で用いられる。
【００２３】
本発明の装飾プレート１０では、固着層４を介して、凹部２内に装飾パターンが固定される。固着層４の厚みは、好ましくは１０〜６０μｍ、さらに好ましくは１５〜５０μｍ、特に好ましくは１５〜３０μｍである。
【００２４】
また、本発明の装飾プレート１０においては、前記装飾パターン３と固着層４との合計
厚みが、前記凹部２の深さに対して、−２００μｍ〜＋５０μｍ、さらには−１５０μｍ〜＋２０μｍ、特には−１００μｍ〜±０μｍの範囲にあることが好ましい。
【００２５】
このような本発明に係る装飾プレート１０によれば、装飾パターン３が被着体１の凹部２内に固着層４を介して固定されているので、微小の装飾パターンであっても画像の脱落が起らない。たとえば、この固着層４を、ホットメルト接着剤と紫外線硬化型接着剤との混合接着剤（ｉ）で形成した場合には、紫外線照射条件が不適正であり紫外線硬化型接着剤の接着性が充分に発現しない場合であっても、ホットメルト接着剤により接着力が補完されるため、装飾パターンを確実に固定できる。また、ホットメルト接着剤または粘着剤を使用することで、紫外線照射を行うことなく、装飾パターンを固定できるようになる。
【００２６】
また、装飾パターン３と固着層４との合計厚みと、凹部２の深さを上記のように設定することで、装飾パターン端部の鋭角部が被着体表面から突出することがなくなるので、エッジの鋭い画像パターンであっても磨耗および接触による負傷を防止できる。さらに、装飾パターン表面が露出するので、装飾パターンが金属からなる場合には、金属パターンが本来有する金属光沢を有効に利用でき、装飾性を向上できる。
【００２７】
しかしながら、本発明においては、装飾パターン表面に着色等のために樹脂層を形成することももちろん許容される。装飾パターンがエッチング画像である場合には、サイドエッチングの結果、画像側面が粗くなることがある。この場合、画像側面に接着剤が残着しやすくなる。このような不都合を防止するため、装飾パターンの表面および側面に樹脂コートを行ってもよい。樹脂コートにより側面が平滑化されるため、接着剤の残着を低減できる。このような樹脂コートは、アクリル系の紫外線硬化型ポリマー、アクリルおよびエポキシ混合系およびウレタン系の熱硬化型ポリマー等から形成され、その厚みは特に限定はされないが、好ましくは５〜２５μｍ、さらに好ましくは５〜２０μｍ、特に好ましくは５〜２５μｍである。
【００２８】
次に本発明に装飾プレート１０の製造方法について説明する。
まず、支持部材１１上に、装飾パターン３を整列仮着するように形成する。このような装飾パターン３の製造は、たとえば特開平７−３３１４７９号公報、特開平８−２７５９７号公報等に記載の電着画像法を応用して行なってもよく、また、支持部材１１として、粘着シート等を用いて、該粘着シート上に金属箔を貼付し、該金属箔を、エッチング法、プレス法、レーザー光線カット法によりパターニングすることで、粘着シート上に整列仮着された装飾パターン３を形成してもよい。
【００２９】
また、本発明では、装飾パターン３の形成と同時に、装飾パターン３の周囲を囲むように工程管理用パターン９を形成しておいてもよい。このような工程管理用パターン９は、最終的には除去されるが、後述する固着層４の形成時においては、マスクとして使用することができる。また、工程管理用パターン９には、位置合わせ等に用いられる孔を形成しておいてもよい。
【００３０】
なお、ここで整列仮着された装飾パターン３とは、装飾パターンが全体として製造社名、商品名、商標等の文字・図形パターンを示す状態で、かつ剥離可能に支持部材１１上に固定された状態をいう。
【００３１】
このような装飾パターン３としては、製造の容易さ等の観点から、特に電着画像またはエッチング画像が好ましい。
エッチング画像の形成は、たとえば、支持部材１１として、粘着シート等を用いて、該粘着シート上に金属箔を貼付し、該金属箔上にレジスト膜を形成した後に、露光、現像した上で、エッチングし、最終的にレジスト膜を除去することで行なわれる。このような方
法により、粘着シート上に、装飾パターンとしてのエッチング画像が整列仮着された状態で得られる。後の工程でエッチング画像の剥離を容易にするため、粘着シートとしては、紫外線硬化型粘着シートを用いることが好ましい。
【００３２】
また、装飾パターン３の表面および側面に前述した樹脂コート層を設けることが好ましい。樹脂コート層を設ける場合には、図２に示される状態、すなわち支持部材１１上に、装飾パターン３を整列仮着した状態で、樹脂コート層を形成する原料樹脂を塗布または噴霧し、樹脂を硬化する。樹脂コート層は、後述する２回の転写工程を経て、装飾プレート１０の露出面側に配置される。このような樹脂コート層を設けておくと、固着層を形成する接着剤や、転写工程において使用されるアプリケーションテープの接着剤が、装飾パターン３の表面および側面に残着することを防止できる。このため、転写工程や固着工程において接着剤が糸引きを起こすことがなくなるため、汚れのない装飾プレート１０を製造できる。
【００３３】
同様の目的で、装飾パターン３の表面に剥離処理を施しておいてもよい。ここで、剥離剤としては、シリコーン系剥離剤が好ましく用いられる。さらに、樹脂コート層を設けた後、樹脂コート層表面に剥離処理を施してもよい。これにより、接着剤の残着が防止されるばかりでなく、後述するように最後にアプリケーションテープ１２を装飾パターン３から剥離する際、装飾パターン３がアプリケーションテープ１２側に付着して剥離することを防止できる。
【００３４】
また、特に、本発明では、特開平７−３３１４７９号公報に記載の方法に準じて、図２に示すように、金属板６の表面に導電性被膜５を形成し、これを支持部材１１として用いて、該導電性被膜５表面に電着画像法により、装飾パターン３を形成することが好ましい。
【００３５】
次いで、支持部材１１表面に形成された装飾パターン３を、接着剤層７を有するアプリケーションテープ１２に転写する。具体的には、基材８と接着剤層７とからなるアプリケーションテープ１２を、装飾パターン形成面に貼付し、アプリケーションテープ１２を支持部材１１から剥離することで、装飾パターン３が接着剤層７に固着された状態で剥離され、装飾パターン３を、アプリケーションテープ１２に転写することができる。エッチング画像を形成する際に、支持部材１１として粘着シートを用いた場合には、アプリケーションテープ１２として、その接着力が、該粘着シートよりも大きなものを選択する。また、特に支持部材１１として、紫外線硬化型粘着シートを用いた場合には、エッチング画像形成後、紫外線硬化を行い、支持部材側の接着力を低下させておくと、装飾パターン３を、アプリケーションテープ１２に容易に転写できる。
【００３６】
また、図２に示すように、金属板６の表面に導電性被膜５を形成し、該導電性被膜５表面に装飾パターン３を形成した場合には、図３に示すように、装飾パターン３を、導電性被膜５と、アプリケーションテープ１２とで挟み込むように剥離し、次いで図４に示すように、導電性被膜５を、装飾パターン面から剥離することが好ましい。このような工程を経ることで、支持部材１１から装飾パターン３をアプリケーションテープ１２に転写する際に、装飾パターン３に過度の変形応力が加えられたり、装飾パターン３が飛散することを防止できる。
【００３７】
接着剤層７に粘着剤を用いる場合は、装飾パターン３に、あらかじめ離型剤をスプレーしておくことが特に好ましい。これにより、後述するように最後にアプリケーションテープ１２を被着体から剥離する際、装飾パターン３がアプリケーションテープ１２側に付着して剥離することを防止できる。
【００３８】
アプリケーションテープ１２に転写された装飾パターン３は、最終工程において、被着体に再転写される。したがって、アプリケーションテープ１２の接着剤層７としては、再剥離性を有する弱粘着剤あるいは紫外線照射に接着力が低下する紫外線硬化型粘着剤などを用いることができる。
【００３９】
しかしながら、装飾パターン３表面に樹脂コート層が形成されている場合や剥離処理を施した場合には、装飾パターン表面とアプリケーションテープ１２との接着力は大きくはならないので、弱粘着剤あるいは紫外線硬化型粘着剤に限らず、種々の接着剤をアプリケーションテープ１２の接着剤層７として用いることができる。特に、装飾パターン３を最終的に被着体に固定するために用いる固着層４と同一または類似の接着剤を用いることで、装飾パターン３からはみ出した接着剤を、接着剤層７と一体化して装飾パターン周辺部から除去できる。
【００４０】
固着層４を形成する接着剤は、前述したとおりであり、これと類似の接着剤とは、組成、物性が固着層４を形成する接着剤と異なるとしても、前述した固着層を形成する接着剤に関する説明の範囲にあるものをいう。たとえば、固着層４をホットメルト接着剤と紫外線硬化型接着剤との混合接着剤（ｉ）で形成した場合には、これと類似の接着剤とは、ホットメルト接着剤と紫外線硬化型接着剤との配合割合では、現実に使用する固着層４とは異なるが、その配合割合が本明細書の記載の範囲にあるものをいう。
【００４１】
アプリケーションテープ１２の基材８には、予めコロナ放電処理した後に、接着剤層７を形成することが好ましい。これにより、基材８と接着剤層７の密着力を高めることができ、最後にアプリケーションテープ１２を被着体から剥離する際に、装飾パターン３に接着剤層７の接着剤が残着することを防止できる。
【００４２】
また、接着剤層７に紫外線硬化型接着剤が含まれる場合は、基材８としては、各種の透明または半透明の樹脂フィルムが用いられる。接着剤層７に紫外線硬化型接着剤が含まれる場合とは、アプリケーションテープ１２が汎用のＵＶテープ（紫外線硬化型粘着テープ）である場合および接着剤層７がホットメルト接着剤と紫外線硬化型接着剤との混合接着剤（ｉ）ある場合の両者を含む。
【００４３】
上記のようにして、接着剤層７を有するアプリケーションテープ１２に該装飾パターン３を転写した後、接着剤層７に紫外線硬化型接着剤が含まれる場合は、図５に示すように、紫外線を照射して接着力を低下させる。この際、基材８面側から紫外線を照射することで、紫外線硬化型接着剤を含む接着剤層７全体を充分に硬化させ、装飾パターン３が固定されている部分においても接着力を低下させる。
【００４４】
次いで、図６に示すように、装飾パターンが固定されている面にさらに、固着層４を形成する。固着層４の厚みは、好ましくは１０〜６０μｍ、さらに好ましくは１５〜５０μｍ、特に好ましくは１５〜３０μｍである。
【００４５】
固着層４に用いる接着剤の組成は、前述したとおりであり、アプリケーションテープ１２の接着剤層７の組成と同一であっても異なっていてもよいが、好ましくは同一または類似の組成を有する。
【００４６】
固着層４の形成は、たとえば上記接着剤を、必要に応じ溶媒で希釈した後、シルク印刷、スプレー法等により行われ、好ましくはシルク印刷により行われる。
固着層４の形成に際しては、装飾パターン３と略同形状の開口部を有するマスクを用いることもできる。すなわち、マスクの開口部と装飾パターン３とを位置合わせした上で、接着剤を塗布、吹付けすることで、装飾パターン３の露出面に固着層４を形成できる。ま
た、前記したように、工程管理用パターン９を形成しておき、マスクとして使用することもできる。
【００４７】
なお、マスクとしての工程管理用パターン９を形成した場合には、接着剤を塗布、吹付けた後に、パターン９を除去する。
このような工程を経ることで、図６に示すように、装飾パターン３の露出面とその周辺部にのみ固着層４を形成することができ、被着体１に貼付後の接着剤のはみ出しを低減できる。
【００４８】
一方、上記とは別に、装飾パターン３と略同形状の凹部２を有する被着体１を準備する（図７）。被着体１は、金属や各種の合成樹脂からなり、その材質は特に限定はされない。また被着体１の厚みも特に限定はされず、装飾プレート１０の用途によりさまざまであるが、一般的には５００〜１０００μｍ程度である。凹部２の形成方法は、被着体１の材質によりさまざまであり、材質に応じた方法が適宜に選択される。たとえば、プレス成形やエッチング法であってもよく、また合成樹脂の場合には、金型を用いた成形であってもよい。凹部２の輪郭形状は、装飾パターン３と略同一である。すなわち、凹部２の幅、長さは、装飾パターン３と同一またはこれよりもやや大きめに設定される。凹部をやや大きめに設定する場合は、装飾パターン３と相似形であり、かつ装飾パターンの幅、長さに対して１００〜３００μｍ程度大き目に設定する。凹部２の深さは、前述したように、装飾パターン３と固着層４の厚みを勘案して適宜に設定される。
【００４９】
次いで、装飾パターン３が、固着層４を介して凹部内に固定されるように、被着体１の凹部２と、装飾パターン３との位置合わせを行い、装飾パターン３を凹部内に固着層４を介して嵌合する（図８）。
【００５０】
次いで、固着層４がホットメルト接着剤と紫外線硬化型接着剤との混合接着剤からなる場合は、アプリケーションテープ側から紫外線照射し（図９）、かつアプリケーションテープ側から加熱または加熱および加圧を施す（図１０）。加熱または加熱および加圧処理には、装飾パターン３と同じ大きさの耐熱ラバー刻印１３を使用することが好ましい。この条件は、使用されるホットメルト接着剤の性質に応じて適宜に選択されるが、好ましいラバー表面温度は、９０〜１５０℃、さらには９０〜１３０℃であり、好ましい圧力は３〜５kg／cm2であり、好ましい圧着時間は５〜１５秒である。紫外線照射の際、装飾パタ
ーン３の下面に位置する固着層４は、装飾パターン３により隠蔽されているため紫外線が到達せず、未硬化の状態を維持するため、装飾パターン３を充分な接着力で凹部内に固定することができる。また、仮に紫外線照射が不適正であり、紫外線硬化型接着剤を過度に硬化させたとしても、ホットメルト接着剤により接着力が補完されるため、装飾パターン３を凹部内に確実に固定できる。一方、装飾パターン３の周辺部にはみ出した接着剤には、紫外線が照射されるため重合硬化し、アプリケーションテープ１２の接着剤層７と一体化した硬化物を形成する。特に、アプリケーションテープ１２の接着剤層７と固着層４とを同一または類似の接着剤で形成した場合には、両者は強固に一体化する。
【００５１】
また、固着層４をホットメルト接着剤で形成した場合は、図１０に示すように、アプリケーションテープ１２側から、すなわちテープ１２の基材８側から加熱または加熱および加圧を施す。この結果、装飾パターン３を固着層４を介して凹部内に固定できる。一方、装飾パターン３の周辺部にはみ出した接着剤は、接着剤層７と一体化した硬化物を形成する。
【００５２】
最後に、アプリケーションテープ１２を被着体１から剥離すると、基材８上に、接着剤層７および装飾パターンからはみ出した固着層用接着剤の硬化物を伴ってテープ１２が剥離される。装飾パターン３の周辺部にはみ出した接着剤は、接着剤層７と一体化している
ので、被着体１表面や装飾パターン３の周辺部に、固着層用接着剤の硬化物が残留することはない。この結果、被着体１の凹部内に、装飾パターン３が固着層４を介して固定されることになり、図１に示した本発明に係る装飾プレート１０が得られる。
【００５３】
特に装飾パターン３の表面および側面に樹脂コート層を設けておくと、固着層４を形成する接着剤や、転写工程において使用されるアプリケーションテープ１２の接着剤層７が、装飾パターン３の表面および側面に残着することを防止できる。このため、転写工程や固着工程において接着剤が糸引きを起こすことがなくなるため、汚れのない装飾プレート１０を製造できる。
【００５４】
また、装飾パターン３の表面に剥離処理を施しておくと、装飾パターン３表面における接着剤の残着が防止されるばかりでなく、アプリケーションテープ１２を装飾パターン３から剥離する際、アプリケーションテープと装飾パターン表面との間で確実に剥離するため、装飾パターン３がアプリケーションテープ１２側に付着して剥離することを防止でき、被着体１の凹部内に、装飾パターン３を確実に固定できるようになる。
【００５５】
また、固着層４に紫外線硬化型接着剤が含まれる場合は、必要に応じ、エージングを行うことで、紫外線硬化型接着剤の未硬化物（接着剤）の接着力がさらに向上し、装飾パターン３を被着体１の凹部内に強固に接着できる。
【００５６】
なお、固着層４を構成する接着剤にホットメルト接着剤が含まれる場合には、耐熱ラバー刻印後、速やかに、好ましくは接着剤の温度が５０℃以上である状態で、アプリケーションテープを剥離することが好ましい。温度が低下しすぎると、ホットメルト接着剤の接着力が強くなり、剥離が困難となり、また装飾パターン３の周辺部にはみ出した接着剤が残留することがある。
【産業上の利用可能性】
【００５７】
本発明によれば、微小の装飾パターンであっても衝撃による画像の脱落がない強固に接着した装飾プレートが提供される。また、エッジの鋭い画像であっても磨耗および接触による負傷を防止でき、かつ装飾パターンが本来有する金属光沢を有効に利用できる装飾プレートおよびその製造方法が提供される。さらに、本発明によれば、装飾パターンを固定するための接着剤が、装飾パターンからはみ出したり、被着体上に残留することもなく、外観に優れた装飾プレートが提供される。
【図面の簡単な説明】
【００５８】
【図１】本発明に係る装飾プレートの一態様を示す断面図である。
【図２】本発明に係る製造方法の１工程の概略を示す。
【図３】本発明に係る製造方法の１工程の概略を示す。
【図４】本発明に係る製造方法の１工程の概略を示す。
【図５】本発明に係る製造方法の１工程の概略を示す。
【図６】本発明に係る製造方法の１工程の概略を示す。
【図７】本発明に係る製造方法の１工程の概略を示す。
【図８】本発明に係る製造方法の１工程の概略を示す。
【図９】本発明に係る製造方法の１工程の概略を示す。
【図１０】本発明に係る製造方法の１工程の概略を示す。
【符号の説明】
【００５９】
１…被着体
２…凹部
３…装飾パターン
４…固着層
５…導電性被膜
６…金属板
７…接着剤層
８…基材
９…工程管理用パターン
１０…装飾プレート
１１…支持基材
１２…アプリケーションテープ
１３…耐熱ラバー刻印
【図１】
2006281652.tif 000003
【図２】
2006281652.tif 000004
【図３】
2006281652.tif 000005
【図４】
2006281652.tif 000006
【図５】
2006281652.tif 000007
【図６】
2006281652.tif 000008
【図７】
2006281652.tif 000009
【図８】
2006281652.tif 000010
【図９】
2006281652.tif 000011
【図１０】
2006281652.tif 000012